(57)【要約】【課題】本発明は、多様な入力操作を実現できる電子装置及び電子装置に情報を入力する方法を提供することを目的とする。【解決手段】本発明の電子装置は、電子装置の内部に取り付けられるマザーボードと、電子装置の正面に取り付けられ、且つ前記マザーボードに接続されるタッチスクリーンと、電子装置の背面に取り付けられ、情報を入力するために用いられる入力モジュールと、入力情報が前記タッチスクリーンに対する操作によるか又は前記入力モジュールに対する操作によるかを識別して、入力情報を前記マザーボードの中央処理装置に伝送して実行する識別モジュールと、を備える。本発明は、電子装置に情報を入力する方法も提供する。【選択図】図１
2012160176.tif 000002
【特許請求の範囲】
【請求項１】
電子装置の内部に取り付けられるマザーボードと、
電子装置の正面に取り付けられ、且つ前記マザーボードに接続されるタッチスクリーンと、
電子装置の背面に取り付けられ、情報を入力するために用いられる入力モジュールと、
入力情報が前記タッチスクリーンに対する操作によるか又は前記入力モジュールに対する操作によるかを識別して、入力情報を前記マザーボードの中央処理装置に伝送して実行する識別モジュールと、
を備えることを特徴とする電子装置。
【請求項２】
前記入力モジュールは、前記電子装置の背面に設置されたタッチ領域であることを特徴とする請求項１に記載の電子装置。
【請求項３】
前記タッチ領域は、タッチ感知モジュール及びコントローラーを備え、
前記タッチ感知モジュールは、ユーザーの前記タッチ領域に対するタッチ圧力を感知し且つ前記タッチ圧力情報を前記コントローラーに送信し、
前記コントローラーは、受信したタッチ圧力を所定圧力値と比較し、且つタッチ圧力が所定圧力値より大きいか等しいと、前記入力情報を前記識別モジュールに伝送することを特徴とする請求項２に記載の電子装置。
【請求項４】
前記タッチスクリーンに対するタッチ操作による入力情報及びは前記タッチ領域に対するタッチ操作による入力情報が衝突すると、前記識別モジュールは、前記タッチスクリーンに対するタッチ操作による入力情報を優先的に前記マザーボードの中央処理装置に伝送して実行することを特徴とする請求項２に記載の電子装置。
【請求項５】
前記入力モジュールは、前記電子装置の背面に設置されたトラックボール又はロッカーアームであることを特徴とする請求項１に記載の電子装置。
【請求項６】
正面にタッチスクリーンが取り付けられ、背面にタッチ領域が取り付けられた電子装置に情報を入力する方法であって、
前記電子装置をスタートオンするステップと、
前記タッチスクリーン又は前記タッチ領域に対するタッチ操作による入力情報があるかどうかを判断するステップと、
もし前記タッチスクリーン及び前記タッチ領域に対するタッチ操作による入力情報があると、前記タッチスクリーンに対するタッチ操作による入力情報及び前記タッチ領域に対するタッチ操作による入力情報が衝突するかどうかを判断し、もし衝突すると、前記タッチスクリーンに対するタッチ操作による入力情報を優先的に前記マザーボードの中央処理装置に伝送して実行し、もし衝突しないと、前記タッチスクリーンに対するタッチ操作による入力情報又は前記タッチ領域に対するタッチ操作による入力情報を前記マザーボードの中央処理装置に伝送して実行するステップと、
を備えることを特徴とする電子装置に情報を入力する方法。
【発明の詳細な説明】
【技術分野】
【０００１】
本発明は、電子装置及び電子装置に情報を入力する方法に関するものである。
【背景技術】
【０００２】
スマートフォン、電子書籍、携帯情報端末（ＰＤＡ）のような携帯式電子装置は、タッチ入力機能を有するため、ユーザーは手指又はタッチペンで携帯式電子装置の正面に取り付けられたタッチスクリーンをタッチすることにより入力操作を実現することができる。
【発明の概要】
【発明が解決しようとする課題】
【０００３】
しかし、ユーザーが一方の手又は両手で携帯式電子装置を握る場合、タッチスクリーン正面側の手指でタッチスクリーンをタッチして入力操作を実現するだけで、携帯式電子装置の背面側の手指で入力操作を実現することができず、入力方式が単一であり、入力効率も低い。
【０００４】
本発明の目的は、前記課題を解決することであり、多様な入力操作を実現できる電子装置及び電子装置に情報を入力する方法を提供することである。
【課題を解決するための手段】
【０００５】
本発明に係る電子装置は、電子装置の内部に取り付けられるマザーボードと、電子装置の正面に取り付けられ、且つ前記マザーボードに接続されるタッチスクリーンと、電子装置の背面に取り付けられ、情報を入力するために用いられる入力モジュールと、入力情報が前記タッチスクリーンに対する操作によるか又は前記入力モジュールに対する操作によるかを識別して、入力情報を前記マザーボードの中央処理装置に伝送して実行する識別モジュールと、を備える。
【０００６】
本発明に係る電子装置に情報を入力する方法は、正面にタッチスクリーンが取り付けられ、背面にタッチ領域が取り付けられた電子装置に情報を入力する方法であって、前記電子装置をスタートオンするステップと、前記タッチスクリーン又は前記タッチ領域に対するタッチ操作による入力情報があるかどうかを判断するステップと、もし前記タッチスクリーン又は前記タッチ領域に対するタッチ操作による入力情報があると、前記タッチスクリーンに対するタッチ操作による入力情報及び前記タッチ領域に対するタッチ操作による入力情報が衝突するかどうかを判断し、もし衝突すると、前記タッチスクリーンに対するタッチ操作による入力情報を優先的に前記マザーボードの中央処理装置に伝送して実行し、もし衝突しないと、前記タッチスクリーンに対するタッチ操作による入力情報又は前記タッチ領域に対するタッチ操作による入力情報を前記マザーボードの中央処理装置に伝送して実行するステップと、を備える。
【発明の効果】
【０００７】
本発明の電子装置及び電子装置に情報を入力する方法は、ユーザーが一方の手又は両手で前記電子装置を握る場合、電子装置の正面側の手指で電子装置の正面に取り付けられたタッチスクリーンをタッチして入力操作を実現するとともに、電子装置の背面側の手指で電子装置の背面に取り付けられた入力モジュールを操作して入力操作を実現することができ、入力操作が多様であり、且つ情報を入力する効率も高める。
【図面の簡単な説明】
【０００８】
【図１】本発明の実施形態に係る電子装置の構造を示すブロック図である。
【図２】図１に示す電子装置の正面図である。
【図３】図１に示す電子装置の背面図である。
【図４】本発明の実施形態に係る電子装置に情報を入力する方法のフローチャートである。
【発明を実施するための形態】
【０００９】
図１を参照すると、本発明の実施形態に係る電子装置１０は、タッチスクリーン１１と、記憶モジュール１２と、識別モジュール１３と、マザーボード１４と、タッチ領域（入力モジュール）１５と、電源モジュール１６と、を備える。前記タッチスクリーン１１は、前記マザーボード１４に接続されており、表示機能及び入力機能を兼備する。前記記憶モジュール１２は、前記マザーボード１４に接続されて、ファイル及びソフトウェアプログラムを格納するために用いられる。前記識別モジュール１３は、前記タッチスクリーン１１及び前記タッチ領域１５に接続されて、入力情報の出所を識別し、且つ入力情報を前記マザーボード１４に伝送するために用いられる。前記マザーボード１４には、中央処理装置（Ｃｅｎｔｒａｌ  Ｐｒｏｃｅｓｓｉｎｇ  Ｕｎｉｔ，ＣＰＵ）及びＲＦチップ（Ｒａｄｉｏ  Ｆｒｅｑｕｅｎｃｙ  ｃｈｉｐ）などの素子が設けられて、情報を受信したり発送したりするか又は情報を処理するために用いられる。前記タッチ領域１５は、タッチ感知モジュール１５１及び前記タッチ感知モジュール１５１に接続されたコントローラー１５３を備える。前記タッチ感知モジュール１５１は、ユーザーのタッチ操作を感知し、且つタッチ圧力又はタッチ位置のような感知した情報を前記コントローラー１５３に送信する。前記コントローラー１５３は、受信したタッチ圧力を所定圧力値と比較して、タッチ圧力が所定圧力値より大きいか等しいと、ユーザーが入力した情報を前記識別モジュール１３に伝送するが、タッチ圧力が所定圧力値より小さいと、ユーザーが前記タッチ領域１５をタッチすることにより情報を入力しなかったと見なして処理する。ユーザーは所定の強度で前記タッチ領域１５をタッチしなければ、前記電子装置１０に情報を入力することができなく、このようにユーザーの不注意のタッチ操作による間違い情報を入力することを免れることができる。前記電源モジュール１６は、前記電子装置１０のマザーボード１４及び他の素子に電力を供給するために用いられる。本発明の実施形態において、前記電子装置１０は、スマートフォン、電子書籍、携帯情報端末（ＰＤＡ）のような携帯式電子装置である。
【００１０】
図２及び図３を参照すると、前記タッチスクリーン１１は、前記電子装置１０の正面に取り付けられ、前記タッチ領域１５は、前記電子装置１０の背面に取り付けられる。ユーザーが一方の手又は両手で前記電子装置１０を握る場合、正面の前記タッチスクリーン１１を直接に操作することができ、且つ背面の前記タッチ領域１５も操作することができるので、使用に便利である。前記タッチ領域１５には、複数の弧形の突出部１５５が設けられ、ユーザーが前記タッチ領域１５の位置を感知するために用いられる。前記タッチ領域１５は、前記電子装置１０の背面からちょっと凹んでいてもよく、このようにユーザーが前記タッチ領域１５の所在位置を感知するために用いられる。本発明の実施形態において、前記タッチ領域１５の作動原理は、タッチパネルと類似し、前記電子装置１０の背面に１つ又は複数のタッチ領域を設置することができる。他の実施形態において、前記電子装置１０の背面にトラックボール又はロッカーアームなどのような他の入力装置を設置することができる。
【００１１】
図４を参照すると、本発明の電子装置に情報を入力する方法は以下のステップを備える。
【００１２】
ステップＳ１：前記電子装置１０をパワーオンする。
【００１３】
ステップＳ２：前記電子装置１０内のアプリケーションソフトを開けて、前記アプリケーションソフトのインターフェースを前記タッチスクリーン１１に表示する。
【００１４】
ステップＳ３：前記識別モジュール１３は、情報を入力することを待つ。
【００１５】
ステップＳ４：前記識別モジュール１３は、前記タッチスクリーン１１又は前記タッチ領域１５に対するタッチ操作による入力情報があるかどうかを検出する。もし入力情報がないと、前記ステップＳ３に戻る。もし入力情報があると、ステップＳ５に入る。
【００１６】
ステップＳ５：前記タッチスクリーン１１に対するタッチ操作による入力情報及び前記タッチ領域１５に対するタッチ操作による入力情報が衝突するかどうかを判断する。もし前記タッチスクリーン１１に対するタッチ操作による入力情報及び前記タッチ領域１５に対するタッチ操作による入力情報が衝突すると、ステップＳ６に入る。もし前記タッチスクリーン１１に対するタッチ操作による入力情報及び前記タッチ領域１５に対するタッチ操作による入力情報が衝突しないと、ステップＳ７に入る。
【００１７】
ステップＳ６：前記タッチスクリーン１１に対するタッチ操作による入力情報を優先的に前記マザーボード１４の中央処理装置に伝送して実行する。
【００１８】
ステップＳ７：前記タッチスクリーン１１に対するタッチ操作による入力情報又は前記タッチ領域１５に対するタッチ操作による入力情報を前記マザーボード１４の中央処理装置に伝送して実行する。このステップにおいて、前記タッチスクリーン１１に対するタッチ操作による入力情報だけがあると、前記タッチスクリーン１１に対するタッチ操作による入力情報を前記マザーボード１４の中央処理装置に伝送して実行し、前記タッチ領域１５に対するタッチ操作による入力情報だけがあると、前記タッチ領域１５に対するタッチ操作による入力情報を前記マザーボード１４の中央処理装置に伝送して実行し、前記タッチスクリーン１１に対するタッチ操作による入力情報及び前記タッチ領域１５に対するタッチ操作による入力情報があっても、且つ両方の入力情報が衝突しないと、前記タッチスクリーン１１に対するタッチ操作による入力情報及び前記タッチ領域１５に対するタッチ操作による入力情報を全て前記マザーボード１４の中央処理装置に伝送して実行する。
【００１９】
ステップＳ８：前記マザーボード１４の中央処理装置は、受信した入力情報によって、前記タッチスクリーン１１に表示される内容をコントロールする。例えば、ユーザーがブラウザを開けてファイルを閲読する場合、前記タッチ領域１５を一回だけ押圧すると、ファイルの次のページを表示する。
【００２０】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２１】
１０  電子装置
１１  タッチスクリーン
１２  記憶モジュール
１３  識別モジュール
１４  マザーボード
１５  タッチ領域
１６  電源モジュール
１５１  タッチ感知モジュール
１５３  コントローラー
１５５  突出部
【図１】
2012160176.tif 000003
【図２】
2012160176.tif 000004
【図３】
2012160176.tif 000005
【図４】
2012160176.tif 000006